(57)【要約】【課題】  本体全体が露出しないようにし、外観品質を向上させる。【解決手段】  ヒンジ１０ａを介して開閉可能かつ開方向に常時付勢された一方片１１及び他方片１２を有し、一方片１１及び他方片１２の先端縁で形成された開口１３の開時に開口３から動物の排泄物Ｗを挿入し開口１３の閉時に挿入された排泄物Ｗを挟んで収納保持可能な本体１０を備え本体１０に本体１０を被覆するとともに本体１０の開口１３を露出させる開放口２１を有した袋状のカバー２０を付設し、本体１０を吊下可能な把手２５と、カバー２０を本体１０に着脱可能に付設する取付手段を設けた。【選択図】  図１
2007028975.tif 000002
【特許請求の範囲】
【請求項１】
ヒンジを介して開閉可能かつ開方向に常時付勢された一方片及び他方片を有し、上記一方片及び他方片の先端縁で形成された開口の開時に該開口から動物の排泄物を挿入し上記開口の閉時に挿入された排泄物を挟んで収納保持可能な本体を備えた動物用排泄物取具において、
上記本体に該本体を被覆するとともに上記本体の開口を露出させる開放口を有した袋状のカバーを付設したことを特徴とする動物用排泄物取具。
【請求項２】
上記本体を吊下可能な把手を備えたことを特徴とする請求項１記載の動物用排泄物取具。
【請求項３】
上記開口を跨いで設けられ一端が上記カバーに止着されるベルトと、該ベルトの他端側を当該カバーに着脱可能に係止する係止部材とを備えて構成したことを特徴とする請求項１または２記載の動物用排泄物取具。
【請求項４】
上記ベルトの上記係止部材で係止される係止位置を調整可能にしたことを特徴とする請求項３記載の動物用排泄物取具。
【請求項５】
上記カバーを上記本体に着脱可能に付設する取付手段を設けたことを特徴とする請求項１，２，３または４記載の動物用排泄物取具。
【請求項６】
上記取付手段を、上記本体のヒンジの内側に沿って架け渡される紐で構成したことを特徴とする請求項５記載の動物用排泄物取具。
【請求項７】
上記一方片及び他方片に形成される開口端縁を互いに向き合う側に折曲形成された折曲片を設けたことを特徴とする請求項１，２，３，４，５または６記載の動物用排泄物取具。
【請求項８】
上記本体を弾性を有した厚紙で構成したことを特徴とする請求項１，２，３，４，５，６または７記載の動物用排泄物取具。
【発明の詳細な説明】
【技術分野】
【０００１】
本発明は、主に、ペットとしての動物用排泄物取具に係り、特に、例えば、路上等に動物が排泄した固形の排泄物を取り除いて、別の場所に移動するための動物用排泄物取具に関する。
【背景技術】
【０００２】
従来、この種の動物用排泄物取具としては、例えば、特許文献１（特開２００３−３８０５８号公報）に記載されたものが知られている。
【０００３】
図９に示すように、この動物用排泄物取具は、ヒンジ１を介して開閉可能かつ開方向に常時付勢された一方片２及び他方片３を有している。そして、一方片２及び他方片３の先端縁で形成された開口４の開時に開口から動物の排泄物を挿入し開口の閉時に挿入された排泄物を挟んで収納保持可能な本体５を備えた構成としている。
この動物用排泄物取具を使用するには、例えば、ペットとの散歩の際に動物用排泄物取具を携行する。そして、ペットが排泄物を排泄した際に、本体を把持し、路上に排泄された動物の排泄物を本体５の開口４から挿入し、その後、本体５を握り込んで開口４を閉じ排泄物を挟んで一方片２及び他方片３の間に排泄物を収納保持する。
【０００４】
【特許文献１】特開２００３−３８０５８号公報
【発明の開示】
【発明が解決しようとする課題】
【０００５】
ところで、このような動物用排泄物取具にあっては、本体５全体が直接露出しているので、見栄えが悪いという問題があった。そのため、周囲の人から見ても、排泄物を取るための道具と認識され易くなり、周囲の人が不快に思うことがある。
【０００６】
本発明は上記の問題点に鑑みて為されたもので、本体全体が露出しないようにし、外観品質を向上させた動物用排泄物取具を提供することを目的とする。
【課題を解決するための手段】
【０００７】
このような目的を達成するための本発明の動物用排泄物取具は、ヒンジを介して開閉可能かつ開方向に常時付勢された一方片及び他方片を有し、上記一方片及び他方片の先端縁で形成された開口の開時に該開口から動物の排泄物を挿入し上記開口の閉時に挿入された排泄物を挟んで収納保持可能な本体を備えた動物用排泄物取具において、上記本体に該本体を被覆するとともに上記本体の開口を露出させる開放口を有した袋状のカバーを付設した構成としている。
【０００８】
これにより、本体はカバーで覆われるので、あたかも、ハンドバッグのような外観を呈し、外観品質が向上させられる。そのため、一見しただけでは、排泄物を取るための道具と認識され難くなる。
この動物用排泄物取具を用いて、動物が排泄した排泄物を例えば、路上等から取り除くには、本体の開口に排泄物を挿入し、この状態で、カバーの上から本体を把持してこれを握り込んで開口を閉じ、一方片及び他方片の間に排泄物を取り込んでこれを収納保持する。
この際、カバーの開放口から露出した本体の開口から排泄物を本体に収納保持できるので、本体からカバーを外すことなく本体の開口を閉じて排泄物を取り込むことができる。
その後、本体を持ち上げて、路上外の適所において本体の開口を開にし、本体内に収納保持された排泄物を廃棄する。
【０００９】
また、必要に応じ、上記本体を吊下可能な把手を備えた構成としている。
本体を持ち運ぶ際には、把手を持って行なうことができるようになり、携行が容易になる。
【００１０】
更に、必要に応じ、上記開口を跨いで設けられ一端が上記カバーに止着されるベルトと、該ベルトの他端側を当該カバーに着脱可能に係止する係止部材とを備えて構成している。
この場合、本体を使用して排泄物を取り除く際には、本体の開口にベルトを跨らないようにする一方、本体を使用しない際には、係止部材でベルトを係止しておく。
これにより携行している際等の非使用時において、本体がベルトで押さえられるので本体がカバーの内部で安定する。
また、ベルトの係止位置を、本体の開口が閉じた状態を保持する箇所にした場合には、例えば、排泄物が排泄された場所と排泄物の廃棄処理する処理場所とが離れており、排泄物を処理場所まで持ち運ぶような際に、本体を握り込まなくても本体の開口を閉じた状態を保持できるようになり、携行を容易にすることができる。
【００１１】
更にまた、必要に応じ、上記ベルトの上記係止部材で係止される係止位置を調整可能にしている。
これにより、例えば、ベルトの係止位置を、本体の開口が開いた状態でベルトを係止できる位置と、本体の開口が閉じた状態を保持する位置との両方に調整できる。そのため、本体内に取り込む排泄物の量に応じて、係止位置を調整できる。
また、本体に内容物が入れられていない状態では、本体の開口が開いた状態でベルトを係止しておけば、ベルトがカバーからぶら下がって邪魔にならないだけでなく、常時、本体の開口が閉じた状態を保持する位置にベルトが係止される場合に比較して、本体は、ヒンジの付勢力にベルトがほとんど抗して係止されないので、ヒンジの付勢力を弱まり難くすることができる。
【００１２】
また、必要に応じ、上記カバーを上記本体に着脱可能に付設する取付手段を設けている。
この場合、取付手段を用いて、カバーを本体に取り付ける。これにより、カバーだけを持ってもカバーから本体が外れなくなり、携行が容易になる。
また、着脱自在で、本体からカバーを取り外すことができるので、本体が汚損した際に本体を交換したりでき、また、取り外したカバーを洗浄する場合には、洗浄作業を容易にできる。
更にまた、必要に応じ、上記取付手段を、上記本体のヒンジの内側に沿って架け渡される紐で構成している。
簡単な構造であり、紐を結束する等して本体にカバーを容易に取り付けることができる。
【００１３】
また、必要に応じ、上記一方片及び他方片に形成される開口端縁を互いに向き合う側に折曲形成された折曲片を設けた構成としている。
これにより、排泄物を取る際に、本体の開口が閉じられると、折曲片が地面と排泄物との間に入り込んで排泄物をすくい取ることができ、排泄物を本体に取り込み易くできる。
また、必要に応じ、上記本体を弾性を有した厚紙で構成している。
これにより、本体の製造コストが低減される。
【発明の効果】
【００１４】
本発明の動物用排泄物取具によれば、本体を被覆するカバーを設けたので、本体がカバーで覆われ、見栄えが良くなり、外観品質を向上させることができる。そのため、一見しただけでは、排泄物を取るための道具と認識され難くすることができる。
また、カバーは本体の開口を露出させる開放口を有した袋状なので、本体からカバーを外すことなく本体に排泄物を収納保持できる。
【発明を実施するための最良の形態】
【００１５】
以下、添付図面に基づいて、本発明の実施の形態に係る動物用排泄物取具について詳細に説明する。
【００１６】
図１乃至図４に示すように、この動物用排泄物取具は、ヒンジ１０ａを介して開閉可能かつ開方向に常時付勢された一方片１１及び他方片１２を有し、一方片１１及び他方片１２の先端縁で形成された開口１３の開時に開口１３から動物の排泄物Ｗを挿入し開口１３の閉時に挿入された排泄物Ｗを挟んで収納保持可能な本体１０を備えた構成としている。
また、本体１０は、弾性を有した厚紙で構成され、一方片１１及び他方片１２に形成される開口１３端縁を互いに向き合う側に折曲形成されてなる折曲片１５を設けている。折曲片１５の両側縁には、一方片１１及び他方片１２の両側縁側に架設され、折曲片１５を補強するための補強板１６を備えている。
本体１０は厚紙で構成されているので、本体１０の製造コストを低減できる。
【００１７】
更に、本体１０には、本体１０を被覆するとともに本体１０の開口１３を露出させる開放口２１を有した布製袋状のカバー２０が付設されている。このカバー２０は、本体１０の一方片１１及び他方片１２のヒンジ１０ａ側から被せられている。
このカバー２０には、カバー２０を本体１０とともに吊下可能な把手２５を設けている。把手２５は、布製の帯状体２５ａで形成され、この帯状体２５ａの一方端２６及び他方端２７をカバー２０に縫いつけるとともに、その一部をリング状にしている。
【００１８】
更に、カバー２０には、開口１３を跨いで設けられ一端３１がカバー２０に止着されるベルト３０と、ベルト３０の他端３２側をカバー２０に着脱可能に係止する係止部材３５とが設けられている。ベルト３０は、帯状体２５ａの一方端２６を延設して構成されている。更にまた、係止部材３５は、所謂スナップボタンで構成されている。スナップボタンは、帯状体２５ａの他方端２７を延設してなる延設部２８の裏面に設けた雄部材３６と、ベルト３０の他端３２に設けられ雄部材３６と着脱自在に係合可能な雌部材３７とから構成されている。また、雌部材３７は、ベルト３０の係止部材３５で係止される係止位置を調整可能なように、複数設けられている（実施の形態では２個）。雌部材３７の取り付け位置は、図３及び図４に示すように、本体１０の開口１３が開いた状態でベルト３０を係止できるようにベルト３０の他端３２側と、これよりもベルト３０の一端３１側に設けられベルト３０で本体１０の開口１３を閉じた状態でこの本体１０を保持可能な位置とに設けられている。図１及び図２中、３９は、スナップボタンの着脱を容易にするボタンである。
【００１９】
また、カバー２０を本体１０に着脱可能に付設する取付手段４０を設けている。この取付手段４０は、本体１０のヒンジ１０ａの内側に沿って架け渡される一対の紐４１で構成されている。この一対の紐４１は、本体１０の内側の中央で互いに結ぶことのできる長さに形成されている。
そして、カバー２０を本体１０に付設するには、ベルト３０を係止部材３５から開放した状態で、カバー２０を開放口２１から本体１０に被せるとともに、本体１０のヒンジ１０ａの部分に紐４１を架け渡すとともに、この一対の紐４１を結ぶ。
【００２０】
この動物用排泄物取具を用いる場合には、図５に示すように、例えば、予め、ベルト３０を本体１０の開口１３に跨らせるとともに、ベルト３０の他端３２縁側の雌部材３７に延設部２８の雄部材３６を係合する。この状態で、把手２５を持ち、ペットを連れて散歩する時などにおいて携行する。
この際、把手２５が設けてあるので、携行が容易になる。また、この場合、本体１０は、ほとんどカバー２０に覆われるので、あたかもハンドバッグのような外観を呈し、外観品質が向上する。そのため、周囲の人が一見しただけでは、排泄物Ｗを取るための道具と認識され難くなる。
【００２１】
次に、ペットが路上等で排泄物Ｗを排泄し、これを取り除く場合には、図６に示すように、雌部材３７の雄部材３６との係合を解除し、ベルト３０を本体１０の開口１３に跨らないようにする。次に、図７に示すように、本体１０の開口１３に排泄物Ｗを挿入し、この状態で、カバー２０の上から本体１０を握り込んで開口１３を閉じ、折曲片１５の内側に排泄物Ｗを取り込んでこれを収納保持する。
この際、折曲片１５が設けられ、この折曲片１５が地面と排泄物Ｗとの間に入り込んですくい取ることができ、排泄物Ｗを本体１０に取り込み易くできる。
また、この際、カバー２０の開放口２１から本体１０の開口１３が露出しているので、カバー２０を外すことなく本体１０の開口１３を閉じて排泄物Ｗを取り込むことができる。
その後、本体１０を持ち上げて、路上外の適所において本体１０の開口１３を開にし、本体１０内に収納保持された排泄物Ｗを廃棄する。
【００２２】
また、例えば、自宅に帰った後で排泄物Ｗを廃棄処理したりする等、排泄物Ｗを廃棄処理する処理場所と排泄物Ｗが排泄された場所との間に距離がある場合には、図８に示すように、ベルト３０を閉じた開口１３に跨らせてベルト３０の一端３１側の雌部材３７と雄部材３６とを係合する。
この場合、本体１０を握り込まなくても、ベルト３０が開口１３を閉じた状態に保持するので、本体１０から手を離して、把手２５を持って運んでも本体１０に収納保持された排泄物Ｗが本体１０外に飛び出したりし難くできる。
その後、排泄物の処理場所まで動物用排泄物取具を排泄物Ｗとともに携行する一方、処理場所において、上記と同様にベルト３０を開放し、本体１０に収納保持された排泄物Ｗを廃棄処理する。
【００２３】
上記のような本体１０の使用を繰り返し行なって本体１０が損傷する等した場合には、別の本体１０と交換するようにする。この場合、一対の紐４１を解いてカバー２０を本体１０から外し、新たな本体１０を上記と同様に取り付ける。これにより、本体１０を交換することもできるようになる。
また、本体１０に内容物が入れられていない本体１０の非使用時において、本体１０の開口１３が開いた状態でベルト３０を係止しておけば、常時、本体１０の開口１３が閉じた状態を保持する位置にベルト１３を係止しておく場合に比較して、ヒンジ１０ａの付勢力にベルト１３が抗して係止されないので、ヒンジ１３の付勢力を弱まり難くすることができる。
【００２４】
尚、本発明の実施の形態においては、係止部材３５はスナップボタンで構成したが、面ファスナ等であってもよく適宜設計変更して差し支えない。
【図面の簡単な説明】
【００２５】
【図１】本発明の実施の形態に係る動物用排泄物取具を示す斜視図である。
【図２】本発明の実施の形態に係る動物用排泄物取具を示す斜視図である。
【図３】本発明の実施の形態に係る動物用排泄物取具を係止部材からベルトを外した状態で示す斜視図である。
【図４】本発明の実施の形態に係る動物用排泄物取具を示す分解斜視図である。
【図５】本発明の実施の形態に係る動物用排泄物取具の非使用状態を示す断面図である。
【図６】本発明の実施の形態に係る動物用排泄物取具で排泄物を取る状態を示す断面図である。
【図７】本発明の実施の形態に係る動物用排泄物取具をその本体に排泄物を収納保持した状態で示す断面図である。
【図８】本発明の実施の形態に係る動物用排泄物取具をその本体に排泄物を収納保持した状態で示す断面図である。
【図９】従来の動物用排泄物取具の一例を示す図である。
【符号の説明】
【００２６】
１０  本体
１０ａ  ヒンジ
１１  一方片
１２  他方片
１３  開口
１５  折曲片
１６  補強板
２０  カバー
２１  開放口
２５  把手
２５ａ  帯状体
２６  一方端
２７  他方端
２８  延設部
３０  ベルト
３５  係止部材
３６  雄部材
３７  雌部材
４０  取付手段
４１  紐
【図１】
2007028975.tif 000003
【図２】
2007028975.tif 000004
【図３】
2007028975.tif 000005
【図４】
2007028975.tif 000006
【図５】
2007028975.tif 000007
【図６】
2007028975.tif 000008
【図７】
2007028975.tif 000009
【図８】
2007028975.tif 000010
【図９】
2007028975.tif 000011